(57)【要約】【課題】遮断器の投入時に、引き外しコロが引き外しフックに確実に係合するようにする。【解決手段】遮断器の投入の際にアーム２ｂが反時計方向へ回動したときに復帰バネの作用で反時計方向へ付勢される引き外しフック８のストッパ部８ｂが引き外しコロ５ｂに衝突して跳ね返らないように、薄い金属板１１と厚い金属板１２との間にゴムからなる緩衝板１３を挟持して引き外しフック８に取り付け、緩衝作用を有するストッパ部８ｂを構成する。【選択図】　図１
2004022375.tif 000002
【特許請求の範囲】
【請求項１】
回動軸を中心として回動自在なアームの一端に引き外しコロを設け、前記アームの他端に連動連結された遮断器が投入されかつ遮断バネが蓄勢された状態で前記引き外しコロの位置を保持する引き外しフックを回動自在に設け、当該引き外しフックの先端が前記引き外しコロと係合する方向へ引き外しフックを付勢する復帰バネを設け、復帰バネにより引き外しフックが復帰する際に前記引き外しコロに衝突して引き外しフックの回動を止めるストッパ部を引き外しフックに形成した開閉装置において、
前記ストッパ部に緩衝手段を設けたことを特徴とする開閉装置。
【請求項２】
前記緩衝手段として、前記引き外しコロへの衝突によって圧縮される弾性部材を設けて構成したことを特徴とする請求項１に記載の開閉装置。
【請求項３】
前記緩衝手段として、前記引き外しコロへ衝突する部分の面を、衝突方向に対して傾斜する傾斜面で構成したことを特徴とする請求項１に記載の開閉装置。
【請求項４】
前記緩衝手段として、前記引き外しコロへの衝突によって圧縮される弾性部材を設け、かつ前記引き外しコロへ衝突する部分の面を衝突方向に対して傾斜する傾斜面で構成したことを特徴とする請求項１に記載の開閉装置。
【発明の詳細な説明】
【０００１】
【発明の属する技術分野】
本発明は、開閉装置に関し、遮断器の投入状態を保持するための引き外しフックを改良したものである。
【０００２】
【従来の技術】
開閉装置は、三相分の真空インタラプタを同時に開閉するように構成されている。開閉装置の構成を、図４〜図６に示す。図４は真空インタラプタが遮断された状態であり、図５は投入途中の状態であり、図６は投入完了状態である。
【０００３】
図のように回動軸１に三相分のアーム２ａ〜２ｃの中間部が固着されており、夫々のアーム２ａ〜２ｃの一端は圧接バネ３ａ〜３ｃを介して真空インタラプタ４ａ〜４ｃに連動連結されている。
【０００４】
アーム２ａ〜２ｃの他端には、投入コロ５ａ，引き外しコロ５ｂ，遮断バネ５ｃが夫々設けられている。投入コロ５ａの上には可動鉄心６ａを有する投入電磁石６が設けられ、引き外しコロ５ｂの上には軸８ａを中心として回動自在な引き外しフック８が復帰バネ７により付勢された状態で設けられ、引き外しフック８の左側には可動鉄心９ａを有する引き外し電磁石９が設けられている。
【０００５】
図４の状態から投入電磁石６を励磁して可動鉄心６ａを下方へ突出させると、図５のように投入コロ５ａが下動し、回動軸１が反時計方向へ回動し、三相分の真空インタラプタ４ａ〜４ｃが同時に投入される。このとき、引き外しコロ５ｂが下がり、復帰バネ７により付勢されているために引き外しフック８が反時計方向へ回動し、ストッパ部８ｂの部分が引き外しコロ５ｂに当る。また、回動軸１が反時計方向へ回動することにより、遮断バネ５ｃが引っ張られて蓄勢されることになる。
【０００６】
その後、図６のように投入電磁石６の励磁が解かれると、可動鉄心６ａは上昇し、遮断バネ５ｃの放勢により回動軸１を中心としてアーム２ａ〜２ｃが時計方向へ回動し引き外しコロ５ｂが上昇しようとする。その際に、引き外しコロ５ｂが引き外しフック８のラッチ面８ｃに係合し、真空インタラプタ４ａ〜４ｃの投入状態が保持される。
【０００７】
投入電磁石６の可動鉄心６ａが最下位置にきたときのラッチ面８ｃと引き外しコロ５ｂとのギャップＧは以下の理由により精度良く調整する必要がある。
＜ａ＞ギャップＧを大きくすると、図４の状態から図５のように可動鉄心６ａが最下位置まで下がった時に、復帰バネ７の付勢力が加わる引き外しフック８は、反時計方向へ回動し、図７（ａ）の状態を経過して図７（ｂ）のようにストッパ部８ｂの部分が引き外しコロ５ｂに衝突し、その反動で図７（ｃ）のように時計方向へ跳ね返って引き外しコロ５ｂから離れ、このあと図６のように投入電磁石６の励磁が解かれると可動鉄心６ａが最下位置から上昇し、引き外しコロ５ｂが上方へ動くが、引き外しフック８は前記のように時計方向へ逃げてしまうために係合しなくなる。なお、図４〜６における引き外しフック８等の形状は簡略化して示したものである。
＜ｂ＞ギャップＧを小さくすると、ギャップＧの大きさは、投入電磁石６の可動鉄心６ａの最下部の位置によって、投入コロ５ａおよび引き外しコロ５ｂの位置が決まることから、可動鉄心６ａと投入コロ５ａとのうちの少なくとも一方が摩耗すると、ギャップＧがなくなって引き外しコロ５ｂが引き外しフック８に係合しなくなる虞がある。
【０００８】
引き外しフック８と軸８ａとの間に使用されているベアリング、あるいは引き外しコロ５ｂの回転中心に使用されているベアリングのグリスの劣化や、復帰バネ７のへたりなどを考慮すると、引き外しフック８の跳ね返り条件が変わってくる。このため、図８に示すように、引き外しフック８のストッパ部８ｂに引き外しコロ５ｂが当接した状態での、引き外しコロ５ｂの中心と引き外しフック８の端面との距離である、「ラッチ面８ｃとの係合量Ｅ」をある程度大きく設定しており、経年劣化しても引き外しコロ５ｂが係合するようになっている。
【０００９】
【発明が解決しようとする課題】
ところが、「ラッチ面８ｃとの係合量Ｅ」を大きくすると、引き外しフック８のラッチ面８ｃの面積が大きくなり、引き外しフック８の質量も大きくなり、そのために復帰バネ７を強くする必要があり、引き外し電磁石９はパワーの大きなものが必要になってしまう。
【００１０】
そこで本発明は、斯かる課題を解決した開閉装置を提供することを目的とする。
【００１１】
【課題を解決するための手段】
斯かる目的を達成するための請求項１に係る開閉装置の構成は、回動軸を中心として回動自在なアームの一端に引き外しコロを設け、前記アームの他端に連動連結された遮断器が投入されかつ遮断バネが蓄勢された状態で前記引き外しコロの位置を保持する引き外しフックを回動自在に設け、当該引き外しフックの先端が前記引き外しコロと係合する方向へ引き外しフックを付勢する復帰バネを設け、復帰バネにより引き外しフックが復帰する際に前記引き外しコロに衝突して引き外しフックの回動を止めるストッパ部を引き外しフックに形成した開閉装置において、前記ストッパ部に緩衝手段を設けたことを特徴とする。
【００１２】
ストッパ部に緩衝手段を設けたので、復帰バネにより引き外しフックが復帰する際に引き外しコロに衝突したストッパ部が、緩衝手段により衝撃を吸収され、衝撃の反動で跳ね返ることがない。従って、引き外しコロが引き外しフックから外れることはない。
【００１３】
請求項２に係る開閉装置の構成は、請求項１における前記緩衝手段として、前記引き外しコロへの衝突によって圧縮される弾性部材を設けて構成したことを特徴とする。
【００１４】
引き外しコロへストッパ部が衝突した際に、弾性部材が衝撃を吸収する。
【００１５】
請求項３に係る開閉装置の構成は、請求項１における前記緩衝手段として、前記引き外しコロへ衝突する部分の面を、衝突方向に対して傾斜する傾斜面で構成したことを特徴とする。
【００１６】
引き外しコロへストッパ部が衝突した際に、傾斜面と直角な方向への衝撃力がストッパ部が衝突する方向とこれに直角な方向への力に分解され、結果として衝撃が吸収される。
【００１７】
請求項４に係る開閉装置の構成は、請求項１における前記緩衝手段として、前記引き外しコロへの衝突によって圧縮される弾性部材を設け、かつ前記引き外しコロへ衝突する部分の面を衝突方向に対して傾斜する傾斜面で構成したことを特徴とする。
【００１８】
弾性部材による衝撃吸収と、衝撃力の分解による衝撃吸収との双方が行なわれる。
【００１９】
【発明の実施の形態】
以下、本発明による開閉装置の実施の形態を説明する。なお、実施の形態１〜４は従来の開閉装置における引き外しフックの一部を改良しただけなので、改良した部分についてのみ説明する。
【００２０】
（ａ）実施の形態１
まず、実施の形態１の要部を図１に示す。実施の形態１では、引き外しフック８のストッパ部８ｂの構成は以下のようになっている。
【００２１】
図のように、薄い金属板１１と剛性の大きい厚い金属板１２との間に緩衝板（緩衝手段）１３が挟持された状態で、これらの３枚の板が２本のボルト１４により引き外しフック８に結合され、その一部が引き外しフック８から突出してストッパ部８ｂを構成している。緩衝板１３は弾性体としてのゴムにより形成されている。ゴムに代えてフッ素系樹脂を用いてもよい。ボルト１４のまわりには、金属板１１と金属板１２との間に、緩衝板１３の厚さよりも若干薄いリング状のディスタンス１５が設けられている。
【００２２】
図５のように遮断器の投入のために引き外しコロ５ｂが下降して復帰バネ７の作用で引き外しフック８が反時計方向へ回動すると、図１において引き外しコロ５ｂにストッパ部８ｂが衝突する。このとき、薄い金属板１１は変形して力を蓄えるが、衝突によるエネルギーは緩衝板１３の圧縮変形に使用されるため引き外しフック８の時計方向への跳ね返りは小さい。従って、引き外しコロ５ｂが引き外しフック８から外れるようなことはない。
【００２３】
（ｂ）実施の形態２
次に、実施の形態２の要部を図２に示す。実施の形態２では、引き外しフック８のストッパ部８ｂの構成は以下のようになっている。
【００２４】
実施の形態２においては、引き外しフック８に前記緩衝板（緩衝手段）１３を介して剛性の大きい厚い金属板１６が２本のボルト１４により引き外しフック８に取り付けられ、金属板１６のみが引き外しフック８から突出してストッパ部８ｂを構成している。そして、ボルト１４のまわりには、引き外しフック８と金属板１６との間に、緩衝板１３の厚さよりも若干薄いリング状のディスタンス１５が設けられている。
【００２５】
前記のように復帰バネ７の作用で引き外しフック８が反時計方向へ回動すると、図２において引き外しコロ５ｂにストッパ部８ｂが衝突する。このとき、厚い金属板１６が引き外しコロ５ｂに近い方のボルト１４の頭部を支点として時計方向へ回動しようとし、衝突によるエネルギーは引き外しコロ５ｂから離れた位置の緩衝板１３の圧縮変形に使用され、引き外しフック８の時計方向への跳ね返りは小さい。従って、引き外しコロ５ｂが引き外しフック８から外れるようなことはない。
【００２６】
（ｃ）実施の形態３
次に、実施の形態３を図３に示す。実施の形態３では、引き外しフック８のストッパ部８ｂの構成は以下のようになっている。
【００２７】
実施の形態３においては、引き外しフック８に直接に、剛性の大きい厚い金属板１７が２本のボルト１４を介して取り付けられ、金属板１７の先端のみが引き外しフック８から突出している。そして、金属板１７の先端における引き外しコロ５ｂと対向する部分には、衝突する方向に対して角度θだけ傾斜した傾斜面（緩衝手段）１７ａが形成されている。
【００２８】
前記のように復帰バネ７の作用で引き外しフック８が反時計方向へ回動すると、図３において引き外しコロ５ｂにストッパ部８ｂが衝突する。このとき、厚い金属板１７の傾斜面１７ａに引き外しコロ５ｂが衝突する。衝突により、引き外しコロ５ｂから傾斜面１７ａと直角な方向へ力Ｆが作用する。この力Ｆは引き外しフック８と直角な方向への力Ｆ１と平行な方向への力Ｆ２とに分解できる。引き外しフック８が回動する方向への力Ｆ１はＦに対して小さくなり、従って引き外しフック８の跳ね返り量は小さく、引き外しコロ５ｂが引き外しフック８から外れるようなことはない。角度θを大きくすることによって、力Ｆ１の大きさを力Ｆに対してより小さくすることができる。
【００２９】
（ｄ）実施の形態４
最後に、実施の形態４について説明する。
【００３０】
この実施の形態は、実施の形態２と実施の形態３とを組み合わせたものである。つまり、図２における金属板１６に代えて図３の金属板１７を用いたものである。
【００３１】
斯かる開閉装置では、緩衝板（緩衝手段）１３の圧縮による衝撃吸収と、傾斜面（緩衝手段）１７ａによる衝撃吸収との双方の衝撃吸収が行なわれる。このため、衝撃の吸収が多く行なわれて引き外しフック８への衝撃が一段と少なくなり、引き外しフック８の跳ね返りもより小さく、引き外しコロ５ｂが引き外しフック８から外れるようなことはない。
【００３２】
【発明の効果】
以上の説明からわかるように、請求項１〜２に係る開閉装置によれば、ストッパ部に緩衝手段としての弾性部材を設けて構成したので、衝突によるエネルギーは弾性部材の圧縮変形に使用されることになって引き外しフックの跳ね返りは小さく、引き外しコロが引き外しフックから外れるようなことはない。
請求項３に係る開閉装置によれば、ストッパ部に緩衝手段として、前記コロが衝突する部分の面を、衝突方向に対して傾斜する傾斜面に構成したので、衝突による衝撃力が分散し、引き外しフックの跳ね返りが小さく、引き外しコロが引き外しフックから外れるようなことはない。
【００３３】
請求項４に係る開閉装置によれば、ストッパ部に緩衝手段として、弾性部材と傾斜面とを組み合わせて構成したので、引き外しフックの跳ね返りが一段と小さく、引き外しコロが引き外しフックから外れるようなことはない。
【００３４】
このように、引き外しコロが引き外しフックから外れるようなことはないので、信頼性が向上する。また、引き外しコロのラッチ面との係合量Ｅを小さく抑えることができ、引き外しフックの復帰バネのバネ力を小さくできるので引き外し電磁石も小さくできる。
【図面の簡単な説明】
【図１】本発明による開閉装置の実施の形態１の要部を示す構成図。
【図２】本発明による開閉装置の実施の形態２の要部を示す構成図。
【図３】本発明による開閉装置の実施の形態３の要部を示す構成図。
【図４】従来の開閉装置の遮断状態を示す構成図。
【図５】従来の開閉装置の投入途中の状態を示す構成図。
【図６】従来の開閉装置の投入状態を示す構成図。
【図７】従来の開閉装置の課題であり、投入直後の状態を示す構成図。
【図８】従来の開閉装置の引き外しフックの近傍を示す構成図。
【符号の説明】
２ｂ…アーム
５ｂ…引き外しコロ
８…引き外しフック
８ｂ…ストッパ部
１３…緩衝板
【図１】
2004022375.tif 000003
【図２】
2004022375.tif 000004
【図３】
2004022375.tif 000005
【図４】
2004022375.tif 000006
【図５】
2004022375.tif 000007
【図６】
2004022375.tif 000008
【図７】
2004022375.tif 000009
【図８】
2004022375.tif 000010